(57)【要約】【課題】装置の温度上昇を抑えることができる美容装置を提供する。【解決手段】本発明に係る美容装置は、一面に照射口（３１）を有する筐体（３）と、筐体（３）の内部に配置され、光を発生させる光源（４）と、筐体（３）の内部において光源（４）よりも照射口（３１）に近い位置に配置され、光源（４）から発生された光を屈折させ、照射口（３１）から出射される光の出射方向を時間と共に変化させる光偏向器（５）と、を備える。【選択図】図２
2018202015.tif 000002
【特許請求の範囲】
【請求項１】
一面に照射口を有する筐体と、
前記筐体の内部に配置され、光を発生させる光源と、
前記筐体の内部において前記光源よりも前記照射口に近い位置に配置され、前記光源から発生された光を屈折させ、前記照射口から出射される光の出射方向を時間と共に変化させる光偏向器と、
を備える、美容装置。
【請求項２】
前記光偏向器は、前記照射口から出射される光の出射方向を周期的に変化させるように構成されている、請求項１に記載の美容装置。
【請求項３】
前記光偏向器は、
回転軸と、
前記回転軸に対して軸方向に延在するように取り付けられ、前記光源から発生された光を屈折させる光偏向体と、
前記回転軸を軸周りに回転させる回転駆動源と、
を備える、請求項１又は２に記載の美容装置。
【請求項４】
前記光偏向体は、多角柱状のプリズムで構成されている、請求項３に記載の美容装置。
【請求項５】
前記光偏向器は、
前記光源から発生された光を屈折させる光偏向体と、
前記光偏向体の少なくとも一部を振動させる振動源と、
を備える、請求項１又は２に記載の美容装置。
【請求項６】
前記光偏向体は、液体と、前記液体の体積よりも大きな内部空間を有し、当該内部空間に前記液体を収容する液体容器とを備える、請求項５に記載の美容装置。
【請求項７】
前記筐体の内面は、前記光源から発生された光の少なくとも一部を前記光偏向体へ反射するように構成されている、請求項３〜６のいずれか１つに記載の美容装置。
【発明の詳細な説明】
【技術分野】
【０００１】
本発明は、使用者の肌に光を照射して美容効果を与える美容装置に関する。
【背景技術】
【０００２】
従来、使用者の肌にパルス状の光（強弱が交互に入れ替わる光）を照射することで、肌のたるみや小じわ等を改善する美容効果を得られることが知られている。使用者の肌にパルス状の光を照射する装置としては、例えば、特許文献１（特開昭５５−５２７６６号公報）に記載された装置が知られている。
【０００３】
特許文献１には、レーザー光源から発生された光ビームの経路上にチョッパーを配置し、当該チョッパーを回転させることにより光ビームの経路を間欠的に遮断することによってパルス状の光を生成するように構成された装置が記載されている。
【先行技術文献】
【特許文献】
【０００４】
【特許文献１】特開昭５５−５２７６６号公報
【発明の概要】
【発明が解決しようとする課題】
【０００５】
しかしながら、特許文献１の装置では、チョッパーにより遮断された光のエネルギーが装置内で熱に変換され、装置が高温になるという課題がある。
【０００６】
従って、本発明の目的は、前記課題を解決することにあって、装置の温度上昇を抑えることができる美容装置を提供することにある。
【課題を解決するための手段】
【０００７】
前記目的を達成するために、本発明に係る美容装置は、前記筐体の内部に配置され、光を発生させる光源と、
前記筐体の内部において前記光源よりも前記照射口に近い位置に配置され、前記光源から発生された光を屈折させ、前記照射口から出射される光の出射方向を時間と共に変化させる光偏向器と、
を備えるように構成されている。
【発明の効果】
【０００８】
本発明に係る美容装置によれば、装置の温度上昇を抑えることができる。
【図面の簡単な説明】
【０００９】
【図１】本発明の実施形態に係る美容装置の斜視図である。
【図２】図１の美容装置が備える光照射装置の横断面図である。
【図３】図１の美容装置が備える光照射装置の縦断面図である。
【図４】図１の美容装置が備える光偏向体の斜視図である。
【図５Ａ】図２及び図３に示す光照射装置から出射される光の出射方向が時間と共に変化する様子を示す模式図である。
【図５Ｂ】図２及び図３に示す光照射装置から出射される光の出射方向が時間と共に変化する様子を示す模式図である。
【図５Ｃ】図２及び図３に示す光照射装置から出射される光の出射方向が時間と共に変化する様子を示す模式図である。
【図５Ｄ】図２及び図３に示す光照射装置から出射される光の出射方向が時間と共に変化する様子を示す模式図である。
【図６Ａ】図２及び図３に示す光照射装置から出射される光の出射方向が時間と共に変化する様子を示す模式図である。
【図６Ｂ】図２及び図３に示す光照射装置から出射される光の出射方向が時間と共に変化する様子を示す模式図である。
【図６Ｃ】図２及び図３に示す光照射装置から出射される光の出射方向が時間と共に変化する様子を示す模式図である。
【図６Ｄ】図２及び図３に示す光照射装置から出射される光の出射方向が時間と共に変化する様子を示す模式図である。
【図７】図２及び図３に示す光照射装置から照射されるパルス状の光の変位を示すグラフである。
【図８】図４に示す光偏向体の第１変形例を示す斜視図である。
【図９】図４に示す光偏向体の第２変形例を示す斜視図である。
【図１０】図４に示す光偏向体の第３変形例を示す斜視図である。
【図１１】図４に示す光偏向体の第４変形例を示す斜視図である。
【図１２Ａ】図４に示す光偏向体の第４変形例を示す斜視図である。
【図１２Ｂ】図４に示す光偏向体の第４変形例を示す断面図である。
【発明を実施するための形態】
【００１０】
本発明の第１態様によれば、一面に照射口を有する筐体と、
前記筐体の内部に配置され、光を発生させる光源と、
前記筐体の内部において前記光源よりも前記照射口に近い位置に配置され、前記光源から発生された光を屈折させ、前記照射口から出射される光の出射方向を時間と共に変化させる光偏向器と、
を備える、美容装置を提供する。
【００１１】
本発明の第２態様によれば、前記光偏向器は、前記照射口から出射される光の出射方向を周期的に変化させるように構成されている、第１態様に記載の美容装置を提供する。
【００１２】
本発明の第３態様によれば、前記光偏向器は、回転軸と、前記回転軸に対して軸方向に延在するように取り付けられ、前記光源から発生された光を屈折させる光偏向体と、前記回転軸を軸周りに回転させる回転駆動源と、を備える、第１又は２態様に記載の美容装置を提供する。
【００１３】
本発明の第４態様によれば、前記光偏向体は、多角柱状のプリズムで構成されている、第３態様に記載の美容装置を提供する。
【００１４】
本発明の第５態様によれば、前記光偏向器は、前記光源から発生された光を屈折させる光偏向体と、前記光偏向体の少なくとも一部を振動させる振動源と、を備える、第１又は２態様に記載の美容装置を提供する。
【００１５】
本発明の第６態様によれば、前記光偏向体は、液体と、前記液体の体積よりも大きな内部空間を有し、当該内部空間に前記液体を収容する液体容器とを備える、第５態様に記載の美容装置を提供する。
【００１６】
本発明の第７態様によれば、前記筐体の内面は、前記光源から発生された光の少なくとも一部を前記光偏向体へ反射するように構成されている、第３〜６態様のいずれか１つに記載の美容装置を提供する。
【００１７】
以下、本発明の実施形態について、図面を参照しながら説明する。なお、この実施形態によって本発明が限定されるものではない。
【００１８】
《実施形態》
図１は、本発明の実施形態に係る美容装置の斜視図である。
【００１９】
図１に示すように、本実施形態に係る美容装置は、美容装置本体１と、使用者の肌にパルス状の光（強弱が交互に入れ替わる光）を照射する光照射装置２とを備えている。
【００２０】
美容装置本体１は、高さ方向に延在し、自立するように構成されている。美容装置本体１の上部には、高さ方向に進退移動可能な支柱１１が取り付けられている。この支柱１１の上端部に光照射装置２が取り付けられている。従って、支柱１１を高さ方向に進退移動させることにより、光照射装置２の高さ位置を調整することができる。
【００２１】
また、美容装置本体１には、電源コード１２が接続されている。電源コード１２が外部電源に接続されることにより、光照射装置２を駆動するための電力が供給される。
【００２２】
図２は、光照射装置２の横断面図である。図３は、光照射装置２の縦断面図である。
【００２３】
図２及び図３に示すように、光照射装置２は、筐体３と、光源４と、光偏向器５とを備えている。
【００２４】
本実施形態において、筐体３は、略直方体形状に形成されている。筐体３は、横方向に延在するように、一端部が美容装置本体１に取り付けられている。
【００２５】
筐体３の一面には、光源４からの光を照射する照射口３１が設けられている。照射口３１は、筐体３の長手方向Ｘに延在するように設けられている。本実施形態において、照射口３１は、フィルタ３２により覆われている。これにより、筐体３の内部に異物が侵入することが抑えられている。フィルタ３２は、例えば、ポリカーボネートで構成されている。
【００２６】
また、本実施形態において、フィルタ３２は、３８０ｎｍ以下の波長の光を遮断するように構成されている。これにより、使用者の肌に紫外線が照射されることを抑えている。なお、フィルタ３２は、可視光の透過率を低減するように構成されてもよい。これにより、照射口３１から照射される光の眩しさを抑えることができる。
【００２７】
また、筐体３の長手方向Ｘの両端部には、複数の給排気孔３３が設けられている。また、筐体３の内部には、送風装置の一例であるファン６が設けられている。ファン６は、筐体３の長手方向Ｘの一端部側に配置されたファンケース７に収容されている。ファン６は、電源コード１２を通じて電力を供給されて駆動される。ファン６が駆動されることにより、複数の給排気孔３３を通じて、筐体３の内部の空気が排気されるとともに筐体３の内部に外気が吸気される。これにより、筐体３の内部の空気が換気され、装置が過剰に温度上昇することが抑えられる。
【００２８】
また、筐体３の内部には、筐体３の長手方向Ｘに延在するように、ホルダ３４が取り付けられている。ホルダ３４は、図３に示すように、断面Ｕ字状に形成されている。ホルダ３４の内側には、反射板８が取り付けられている。反射板８は、図３に示すように、断面Ｕ字状に形成され、ホルダ３４の内面に対して隙間を空けて対向するように取り付けられている。反射板８は、光源４から発生された光の少なくとも一部を、後述する光偏向体５２へ反射する。本実施形態においては、反射板８が筐体３の内面を構成する。
【００２９】
光源４は、反射板８の内側に配置され、照射口３１に向けて光を照射するように構成されている。本実施形態において、光源４は、照射口３１に向けて拡散光を照射するように構成されている。光源４は、例えば、赤外線ランプヒータである。
【００３０】
光偏向器５は、筐体３の内部において光源４よりも照射口３１に近い位置に配置されている。光偏向器５は、光源４から発生された光を屈折させ、照射口３１から出射される光の出射方向を時間と共に変化させるように構成されている。
【００３１】
本実施形態において、光偏向器５は、回転軸５１と、光偏向体５２と、回転駆動源の一例である回転モータ５３とを備えている。
【００３２】
回転軸５１は、軸方向が光源４の延在方向に対して平行又は略平行となるように配置されている。本実施形態においては、一対の回転軸５１が光偏向体５２の両端部に取り付けられている。一方の回転軸５１は、ファンケース７に軸周りに回転可能に軸支されている。他方の回転軸５１は、回転モータ５３の出力軸に接続されている。本実施形態において、他方の回転軸５１と回転モータ５３の出力軸とは、一体化されている。回転軸５１は、例えば、ステンレス製の丸棒で構成されている。
【００３３】
光偏向体５２は、回転軸５１に対して軸方向に延在するように取り付けられている。光偏向体５２は、光源４から発生された光を屈折させるように構成されている。本実施形態において、光偏向体５２は、図４に示すように、三角柱状のプリズムで構成されている。
【００３４】
回転モータ５３は、筐体３の長手方向Ｘの他端部側に配置されている。すなわち、回転モータ５３とファン６とは、光偏向体５２を挟んで互いに対向する位置に配置されている。回転モータ５３は、電源コード１２を通じて電力を供給されて駆動される。回転モータ５３が駆動されることにより、回転軸５１が軸周りに回転される。これにより、回転軸５１に取り付けられた光偏向体５２が軸周りに回転され、光源４から発生された光を屈折する方向が時間と共に変化する。その結果、照射口３１から出射される光の出射方向が時間と共に変化する。
【００３５】
図５Ａ〜図５Ｄ及び図６Ａ〜図６Ｄは、光照射装置２から出射される光の出射方向が時間と共に変化する様子を示す模式図である。図５Ａ〜図５Ｄに示すように、光偏向体５２が回転軸５１を中心として回転することにより、光源４から発生された光が光偏向体５２により屈折される方向が時間と共に変化する。これにより、光照射装置２から出射される光の出射方向（照度のピーク）は、図６Ａ〜図６Ｄに示すように、使用者の顔の上部と下部とを往復するように変化する。その結果、使用者の顔の特定の部位（例えば、光照射装置２から約１５ｃｍ離れた使用者の横頬）では、図７に示すように、強弱が交互に入れ替わるパルス状の光が照射されることになる。
【００３６】
本実施形態に係る美容装置によれば、光源４から発生された光を屈折させ、照射口３１から出射される光の出射方向を時間と共に変化させる光偏向器５を備えている。この構成によれば、光源４からの光を遮断するのではなく屈折させるように構成されているので、光のエネルギーが装置内で熱に変換されることを抑えて、装置の温度上昇を抑えることができる。例えば、従来の美容装置では約５０％の光エネルギーが熱に変換されるのに対して、本実施形態に係る美容装置では約１０〜２０％の光エネルギーが熱に変換されるのに抑えることができる。
【００３７】
また、本実施形態に係る美容装置によれば、光源４から発生される光の強度を変えることなく、使用者の肌にパルス状の光を照射することができる。すなわち、光源４を連続的に駆動するだけで、使用者の肌にパルス状の光を照射することができ、光源４のオン／オフを切り換える必要がない。
【００３８】
また、本実施形態に係る美容装置によれば、光偏向体５２が三角柱状のプリズムで構成されている。この構成によれば、使用者の特定の部位に照射されるパルス状の光の強弱の幅を、より簡単な構成でより大きくすることができる。
【００３９】
また、本実施形態に係る美容装置によれば、筐体３の内面を構成する反射板８が、光源４から発生された光の少なくとも一部を光偏向体５２へ反射するように構成されている。この構成によれば、光のエネルギーが装置内に留まることをより一層抑えることができ、装置の温度上昇をより一層抑えることができる。
【００４０】
なお、光偏向器５は、照射口３１から出射される光の出射方向を周期的に変化させるように構成されてもよい。例えば、回転モータ５３の駆動を一定にして、光偏向体５２が一定速度で回転するように構成されてもよい。この場合、強弱が周期的に変化するパルス状の光を使用者の肌に照射することができる。
【００４１】
また、回転モータ５３は、回転軸５１の回転方向を正逆反転させて駆動するように構成されてもよい。すなわち、光偏向体５２は、一方向（正転方向）に回転されることに限定されるものではなく、正転方向及び逆転方向に回転されて、往復運動するように構成されてもよい。この場合でも、光源４から発生された光を屈折させ、照射口３１から出射される光の出射方向を時間と共に変化させることができる。
【００４２】
また、光偏向体５２の全体が筐体３の内部に位置するように配置されることが好ましい。この構成によれば、光偏向体５２と照射口３１との間に位置する反射板３４によって、光偏向体５２を通過した光を照射口３１へ集束させることができ、照射口３１から出射される光が過剰に拡散することを抑えることができる。
【００４３】
なお、本発明は前記実施形態に限定されるものではなく、その他種々の態様で実施できる。例えば、前記では、照射口３１を覆うようにフィルタ３２を設けたが、本発明はこれに限定されない。フィルタ３２を必ずしも設ける必要はなく、照射口３１は開口したままであってもよい。
【００４４】
また、前記では、光源４は、照射口３１に向けて拡散光を照射するように構成されるものとしたが、本発明はこれに限定されない。例えば、光源４は、照射口３１に向けて光ビームを照射するように構成されてもよい。この構成によっても、使用者の肌にパルス状の光を照射することができる。
【００４５】
また、前記では、筐体３の内部に反射板８を別部品として取り付けて、当該反射板８が筐体３の内面を構成するものとしたが、本発明はこれに限定されない。例えば、筐体３と反射板８とを同一部材により一体的に構成してもよい。また、例えば、筐体３の内面を鏡面加工することにより、光源４から発生された光の少なくとも一部を光偏向体５２へ反射するように構成してもよい。
【００４６】
また、前記では、図４に示すように、光偏向体５２が三角柱状のプリズムで構成されるものとしたが、本発明はこれに限定されない。例えば、光偏向体５２は、四角柱や五角柱などの多角柱状のプリズムで構成されてもよい。また、当該多角柱状のプリズムの角部は、例えば、Ｒ形状に面取り加工されてもよい。また、例えば、光偏向体５２は、図８に示すように、光透過性を有する楕円柱で構成されてもよい。これらの構成によっても、光偏向体５２を軸周りに回転させることで、光源４から発生された光を屈折させ、照射口３１から出射される光の出射方向を時間と共に変化させることができる。
【００４７】
また、光偏向体５２は、図９に示すように、円柱の外周面に複数の歯が長手方向に延在するように形成された光透過性を有するギヤ状の部材で構成されてもよい。この構成によれば、光偏向体５２をより少ない回転量回転させるだけで、光源４から発生された光を屈折させ、照射口３１から出射される光の出射方向を時間と共に変化させることができる。
【００４８】
また、光偏向体５２は、図１０に示すように、螺旋状に巻いた光透過性を有する帯状のフィルム部材で構成されてもよい。この構成によっても、光偏向体５２を軸周りに回転させることで、光源４から発生された光を屈折させ、照射口３１から出射される光の出射方向を時間と共に変化させることができる。
【００４９】
また、前記では、光偏向器５が回転軸５１と光偏向体５２と回転モータ５３とで構成されるものとしたが、本発明はこれに限定されない。例えば、光偏向器５は、回転軸５１及び回転モータ５３に代えて、光偏向体５２の少なくとも一部を振動させる振動源の一例である振動モータ（図示せず）を備えてもよい。この構成によっても、振動モータにより光偏向体５２を振動させることで、光源４から発生された光を屈折させ、照射口３１から出射される光の出射方向を時間と共に変化させることができる。その結果、使用者の肌にパルス状の光を照射することができる。
【００５０】
また、光偏向体５２は、図１１に示すように、帯状のフィルム部材を波状に撓ませて構成してもよい。この構成によれば、例えば、波の頂部が波の方向に変位するように光偏向体５２を振動させることで、光源４から発生された光を屈折させ、照射口３１から出射される光の出射方向を時間と共に変化させることができる。
【００５１】
また、光偏向体５２は、中実構造に限定されるものではなく、中空構造であってもよい。なお、光偏向体５２が中実構造である方が、通常、光源４から発生された光を屈折させる変化量を大きくすることができる。
【００５２】
また、光偏向体５２は、図１２Ａ又は図１２Ｂに示すように、液体５２Ａと、液体５２Ｂの体積よりも大きな内部空間Ｓ１を有し、当該内部空間Ｓ１に液体５２Ａを収容する液体容器５２Ｂとを備えてもよい。この構成によれば、例えば、液体容器５２Ｂを振動源により振動させて液体５２Ａの表面を揺らすことで、光源４から発生された光を屈折させ、照射口３１から出射される光の出射方向を時間と共に変化させることができる。なお、液体容器５２Ｂは、図１２Ａ又は図１２に示すように、中空の円柱体で構成してもよい。
【００５３】
なお、前記様々な実施形態のうちの任意の実施形態を適宜組み合わせることにより、それぞれの有する効果を奏するようにすることができる。
【００５４】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、本発明の請求の範囲内に含まれると理解されるべきである。
【産業上の利用可能性】
【００５５】
本発明に係る美容装置は、装置の温度上昇を抑えることができるので、例えば、使用者の肌に光を照射して美容効果を与える美容装置として有用である。
【符号の説明】
【００５６】
１      美容装置本体
２      光照射装置
３      筐体
４      光源
５      光偏向器
６      ファン
７      ファンケース
８      反射板
１１      支柱
１２      電源コード
３１      照射口
３２      フィルタ
３４      ホルダ
３３      給排気孔
５１      回転軸
５２      光偏向体
５２Ａ    液体
５２Ｂ    液体容器
５３      回転モータ
【図１】
2018202015.tif 000003
【図２】
2018202015.tif 000004
【図３】
2018202015.tif 000005
【図４】
2018202015.tif 000006
【図５Ａ】
2018202015.tif 000007
【図５Ｂ】
2018202015.tif 000008
【図５Ｃ】
2018202015.tif 000009
【図５Ｄ】
2018202015.tif 000010
【図６Ａ】
2018202015.tif 000011
【図６Ｂ】
2018202015.tif 000012
【図６Ｃ】
2018202015.tif 000013
【図６Ｄ】
2018202015.tif 000014
【図７】
2018202015.tif 000015
【図８】
2018202015.tif 000016
【図９】
2018202015.tif 000017
【図１０】
2018202015.tif 000018
【図１１】
2018202015.tif 000019
【図１２Ａ】
2018202015.tif 000020
【図１２Ｂ】
2018202015.tif 000021